(57)【要約】【課題】操作軸の回転によって昇降動される固定台を上限位置において確実に停止保持することができるようにした昇降移動装置を提供することである。【解決手段】固定台１とその上側に設けられた可動台２との間に複数のねじジャッキ４を設ける。可動台２に設けられた操作軸７と各ねじジャッキ４との間に、操作軸７の回転をねじジャッキ４に伝達するトルク伝動機構１０を設ける。操作軸７とその操作軸７によって回転自在に支持されたトルク伝動機構の駆動スプロケット１１との間にクラッチ２０を設け、前記操作軸７の回転によりねじジャッキ４を作動させて可動台２を下降させると共に、その可動台２が床面に支持された停止後に固定台１を上昇させ、その固定台１が所定の位置まで上昇したときクラッチ２０を係合解除させて操作軸７から駆動スプロケット１１への回転伝達を遮断する。【選択図】  図２
2004203552.tif 000002
【特許請求の範囲】
【請求項１】
固定台と、その固定台上に配置され、下面の四隅部にキャスタが取付けられた可動台と、前記固定台と可動台の相互間に組込まれた複数のねじジャッキと、前記可動台に回転自在に支持された操作軸と、その操作軸と同軸上に設けられた駆動ホイールを有し、その駆動ホイールを介して操作軸の回転を前記ねじジャッキのそれぞれに伝えるトルク伝動機構とから成り、前記操作軸の回転により複数のねじジャッキを同時に作動させて固定台と可動台とを相対的に移動させるようにした昇降移動装置において、前記操作軸と駆動ホイールの間に組込まれて操作軸から駆動ホイールへの回転の伝達と遮断を行なうクラッチと、前記固定台の昇降動に応じて前記クラッチを制御し、固定台が所定の高さまで引き上げられたときクラッチを係合解除状態に切換える制御機構を設けたことを特徴とする昇降移動装置。
【請求項２】
前記クラッチが、操作軸に回り止めされ、かつ軸方向に移動自在に支持されたトルク伝達板と、そのトルク伝達板を駆動ホイールの上面に重なる方向に向けて押圧するスプリングとを有し、前記駆動ホイールには上下に貫通する係合孔を設け、前記トルク伝達板には、そのトルク伝達板が駆動ホイールの上面に重なる状態で前記係合孔に係合して下端部が駆動ホイールの下方に突出する係合片を設け、その係合片の一側下部にテーパ面を設けた構成とされ、前記制御機構が前記固定台の上昇時にテーパ面が係合孔と対向する位置まで係合片を押し上げる押上げ部材を設けた構成から成る請求項１に記載の昇降移動装置。
【発明の詳細な説明】
【０００１】
【発明の属する技術分野】
この発明は、家具や間仕切り体の移動対象物を昇降自在に、かつ移動自在に支持する昇降移動装置に関するものである。
【０００２】
【従来の技術】
近年、家具や本箱を間仕切り体とし、その間仕切り体を移動させて部屋を任意の大きさに間仕切ることが行なわれている。その間仕切り体等の移動対象物を簡単に移動させることができるようにした昇降移動装置として、固定台上に複数のキャスタを下面に有する可動台を設け、その固定台と可動台との間に複数のねじジャッキを設け、前記可動台に設けられた操作軸を回転し、各ねじジャッキを同時に作動させて固定台と可動台とを相対的に移動させるようにしたものが従来から知られている。
【０００３】
上記昇降移動装置においては、可動台によって移動対象物を支持し、操作軸の回転によりねじジャッキを作動させて可動台を下降させ、キャスタが床面に接地して可動台が停止し、次に固定台が上昇して床面から固定台が引き上げられて可動台のキャスタに移動対象物の全重量が作用したとき、可動台を移動させて移動対象物を目的の位置まで移動させるようにしている。
【０００４】
ここで、ねじジャッキは、ナット部材と、そのナット部材にねじ係合するねじ軸とから成り、前記ナット部材を可動台に回転自在に設け、一方、ねじ軸の下端部を固定台に固定し、ナット部材の回転により可動台を昇降動させるようにしている。あるいは、上記とは逆に、ねじ軸の下端部を固定台に回転自在に支持し、ナット部材を可動台に固定し、前記ねじ軸の回転により可動台を昇降させるようにしている。
【０００５】
ところで、上記のような昇降移動装置においては、固定台が引き上げられる方向に操作軸が回し続けられると、その固定台が可動台の下面に当接し、さらに操作軸が同方向に無理に回転されると、ナット部材とねじ軸のねじ係合部が強く係合して焼付きが生じたり、次の逆回転操作がきわめて困難になる。
【０００６】
そのような不都合を解消するため、特開２００１−２８７８９３号公報に記載された昇降移動装置（ねじジャッキ装置）においては、固定台が所定の高さまで引き上げられたとき、ストッパ機構を作動させて操作軸からねじジャッキに回転トルクを伝達する回転軸を停止させるようにしている。
【０００７】
【発明が解決しようとする課題】
ところで、ストッパ機構を採用した昇降移動装置においては、回転軸が回り止めされたとき、操作軸を操作する手に大きな衝撃が加わり、手を傷める危険がある。また、回転軸が回り止めされる毎にストッパ機構に衝撃が加わるため、ストッパ機構が破損し易いという不都合がある。
【０００８】
この発明の課題は、操作軸の回転によって昇降動される固定台を上限位置において確実に停止させることができると共に、その停止時に操作軸を回転操作する手に大きな衝撃が負荷されるのを防止することができるようにした昇降移動装置を提供することである。
【０００９】
【課題を解決するための手段】
上記の課題を解決するために、この発明に係る昇降移動装置においては、固定台と、その固定台上に配置され、下面の四隅部にキャスタが取付けられた可動台と、前記固定台と可動台の相互間に組込まれた複数のねじジャッキと、前記可動台に回転自在に支持された操作軸と、その操作軸と同軸上に設けられた駆動ホイールを有し、その駆動ホイールを介して操作軸の回転を前記ねじジャッキのそれぞれに伝えるトルク伝動機構とから成り、前記操作軸の回転により複数のねじジャッキを同時に作動させて固定台と可動台とを相対的に移動させるようにした昇降移動装置において、前記操作軸と駆動ホイールの間に組込まれて操作軸から駆動ホイールへの回転の伝達と遮断を行なうクラッチと、前記固定台の昇降動に応じて前記クラッチを制御し、固定台が所定の高さまで引き上げられたときクラッチを係合解除状態に切換える制御機構を設けた構成を採用したのである。
【００１０】
上記のように構成すれば、操作軸を回転すると、可動台が下降し、その可動台が床面で支持されて停止すると、固定台が上昇する。その固定台が所定の高さまで移動すると、制御機構の作動によりクラッチが係合解除状態に切換えられて操作軸からねじジャッキへの回転トルクの伝達が遮断される。このため、固定台を所定の位置において確実に停止させることができると共に、固定台の停止時に操作軸がフリー回転して回り止めされることもないため、操作軸を回転操作する手に衝撃が加えられることもなく、手を傷めることもない。
【００１１】
ここで、クラッチとして、操作軸に回り止めされ、かつ軸方向に移動自在に支持されたトルク伝達板と、そのトルク伝達板を駆動ホイールの上面に重なる方向に向けて押圧するスプリングとを有し、前記駆動ホイールには上下に貫通する係合孔を設け、前記トルク伝達板には、そのトルク伝達板が駆動ホイールの上面に重なる状態で前記係合孔に係合して下端部が駆動ホイールの下方に突出する係合片を設け、その係合片の一側下部にテーパ面を設けた構成とされ、前記制御機構が前記固定台の上昇時にテーパ面が係合孔と対向する位置まで係合片を押し上げる押上げ部材を設けたものを採用することができる。
【００１２】
【発明の実施の形態】
以下、この発明の実施の形態を図面に基づいて説明する。図１および図２に示すように、固定台１の上側には移動対象物を支持する可動台２が設けられ、その可動台２の下面四隅部にキャスタ３が取付けられている。
【００１３】
固定台１と可動台２との間には左右一対のねじジャッキ４が前後に設けられている。図３に示すように、ねじジャッキ４は、ねじ軸５と、そのねじ軸５にねじ係合されたナット部材６とから成り、前記ねじ軸５は、その下端部が固定台１に固定され、一方、ナット部材６は可動台２に回転自在に支持されている。
【００１４】
図１および図２に示すように、可動台２には上下方向に向く操作軸７が回転自在に支持され、その操作軸７の上端部に回転操作用のハンドル８が着脱自在に支持されている。
【００１５】
操作軸７と複数のねじジャッキ４におけるナット部材６との間には、操作軸７の回転を各ナット部材６に伝えるトルク伝動機構１０が設けられている。
【００１６】
トルク伝動機構１０として、ここでは、チェーン伝動機構から成るものを採用している。すなわち、操作軸７に駆動ホイールとしての駆動スプロケット１１を設け、各ねじジャッキ４におけるナット部材６に従動スプロケット１２を取付け、各従動スプロケット１２と前記駆動スプロケット１１間にチェーン１３をかけ渡している。
【００１７】
なお、トルク伝動機構はチェーン伝動機構に限定されるものではない。例えば、ギヤ伝動機構であってもよい。
【００１８】
図４乃至図６に示すように、操作軸７は、角軸部７ａと、その下部に設けられた丸軸部７ｂを有し、前記丸軸部７ｂに前記駆動スプロケット１１が回転自在に支持され、その駆動スプロケット１１と操作軸７との間に、操作軸７から駆動スプロケット１１への回転の伝達と遮断とを行なうクラッチ２０が組込まれている。
【００１９】
クラッチ２０は、操作軸７の角軸部７ａによって回り止めされ、かつ軸方向に移動自在に支持されたトルク伝達板２１と、そのトルク伝達板２１を駆動スプロケット１１の上面に重なる位置に向けて押圧するスプリング２２とから成り、前記トルク伝達板２１には駆動スプロケット１１に形成された複数の係合孔２３のそれぞれに係合される係合片２４を設け、各係合片２４の一側下部にテーパ面２５を設け、前記トルク伝達板２１が駆動スプロケット１１の上面に重なる状態において、係合孔２３と係合片２４の係合によって操作軸７の回転を駆動スプロケット１１に伝えるようにしている。また、前記係合片２４のテーパ面２５が係合孔２３内に臨む状態までトルク伝達板２１が押し上げられたとき、係合孔２３の内周がテーパ面２５を押圧する作用によりトルク伝達板２１を上昇させて係合孔２３と係合片２４の係合を解除させ、操作軸７から駆動スプロケット１１への回転伝達を遮断するようにしている。
【００２０】
上記クラッチ２０は固定台１の昇降動に応じて制御され、その固定台１が所定の高さまで引き上げられたとき、クラッチ２０は係合解除状態に切換えられる。
【００２１】
クラッチ２０を制御する制御機構３０は、固定台１上に押圧部材３１を設け、前記固定台１の上昇時に、その押圧部材３１によりトルク伝達板２１の係合片２４を押し上げて、その係合片２４のテーパ面２５を係合孔２３内に位置させるようにしている。
【００２２】
ここで、押圧部材３１は、固定台１の上面に固定された固定押圧部材３２と、操作軸７の下部に昇降自在に支持され、スプリング３３によって固定押圧部材３２の上面に押し付けられた押爪付きの可動押圧部材３４と、その可動押圧部材３４と駆動スプロケット１１間に組込まれたワッシャ３５とから成っている。
【００２３】
実施の形態で示す昇降移動装置は上記の構造から成り、その昇降移動装置は、可動台２によって間仕切り体等の移動対象物Ａを支持する。その移動対象物Ａには図では省略したが、操作軸７にハンドル８を着脱可能とし、装着状態でハンドル８を回転操作し得る空間が設けられている。
【００２４】
図１は、移動対象物Ａの設置状態を示し、可動台２は引き上げられてキャスタ３が床面から離れ、固定台１が床面によって支持されている。また、クラッチ２０は係合状態とされている。
【００２５】
いま、操作軸７にハンドル８を接続し、そのハンドル８の操作により操作軸７を回転させると、クラッチ２０は係合状態にあるため、操作軸７の回転は駆動スプロケット１１に伝達され、その駆動スプロケット１１の回転はチェーン１３を介して各ねじジャッキ４のナット部材６に伝達される。
【００２６】
このとき、ねじ軸５は固定状態にあるため、ナット部材６は回転しつつ上下動し、可動台２が昇降する。
【００２７】
上記可動台２が下降する方向にハンドル８を回し続けると、キャスタ３が床面に当接し、その当接によって可動台２が停止する。その状態からハンドル８をさらに同方向に回転すると、固定台１が上昇し、上記固定台１が所定の高さまで引き上げられると、押圧部材３１がトルク伝達板２１の係合片２４を押圧し、その押圧によりトルク伝達板２１が上昇する。
【００２８】
図５（II）に示すように、係合片２４のテーパ面２５が係合孔２３内に位置するまでトルク伝達板２１が押し上げられると、上記テーパ面２５は係合孔２３の内周に当接してトルク伝達板２１が上昇し、係合片２４は係合孔２３から抜け出し、クラッチ２０は係合解除状態とされる。
【００２９】
このため、操作軸７の回転は駆動スプロケット１１に伝達されず、固定台１は図７に示すように、所定の高さに引き上げられた状態に保持される。
【００３０】
このように、固定台１が所定の高さまで引き上げられるとクラッチ２０が係合解除されるため、固定台１を所定の位置に確実に停止させることができると共に、その固定台１の停止後においてもハンドル８をフリー回転させることができるため、固定台１の停止時にハンドル８を操作する手に衝撃が加えられることもなく、手を傷めるという不都合の発生は皆無である。
【００３１】
また、固定台１が所定の高さに停止保持される状態でハンドル８の回転が継続されると、トルク伝達板２１の係合片２４は係合孔２３に対して嵌合と離脱を繰り返し、嵌合時にトルク伝達板２１は駆動スプロケット１１に衝突して衝突音が発生するため、その衝突音によって固定台１が停止保持されたことを確認することができる。
【００３２】
また、ハンドル８の回転抵抗も小さいため、その回転操作力からも固定台１が停止保持されたことを確認することもできる。
【００３３】
ここで、固定台１が引き上げられた状態では、移動対象物Ａは可動台２のキャスタ３によって支持されるため、移動対象物Ａを任意の位置に簡単に移動させることができる。
【００３４】
移動対象物Ａの移動後における設置に際しては、ハンドル８の操作によって操作軸７を前記と逆方向に回転させる。このとき、係合片２４が係合孔２３に係合して操作軸７の回転がねじジャッキ４のナット部材６に伝達されるため、固定台１が下降し、その固定台１が床面に当接して停止すると、可動台２が引き上げられてキャスタ３が床面から引き上げられ、移動対象物Ａは固定台１によって支持される。
【００３５】
ここで、移動対象物Ａが床面から天井までの寸法より多少低いものの場合、可動台２の上昇によって移動対象物Ａを天井に押し付けることができ、移動対象物Ａの倒れを防止することができる。
【００３６】
【発明の効果】
以上のように、この発明においては、操作軸の回転によって可動台を下降させると、その可動台のキャスタが床面に当接して可動台が停止し、次に固定台が上昇し、上記固定台が所定の高さまで引き上げられると、クラッチが係合解除して操作軸からねじジャッキへの回転トルクの伝達が遮断されるため、固定台を所定の位置で確実に停止させることができる。また、固定台の停止時に操作軸を回転操作するハンドルは回り止めされることはないため、回転操作する手に衝撃が加えられることもなく、手を傷めることもない。
【図面の簡単な説明】
【図１】この発明に係る昇降移動装置の実施形態を示す一部切欠平面図
【図２】図１の縦断正面図
【図３】図２のねじジャッキ部を示す縦断正面図
【図４】図２の操作軸部を示す縦断正面図
【図５】（Ｉ）は図４のクラッチ部を示す一部切欠側面図、（II）はクラッチの係合解除状態を示す一部切欠側面図
【図６】図５に示すクラッチ部の分解斜視図
【図７】固定台を引き上げた状態の縦断正面図
【符号の説明】
１  固定台
２  可動台
３  キャスタ
４  ねじジャッキ
７  操作軸
１０  トルク伝動機構
１１  駆動スプロケット（駆動ホイール）
２０  クラッチ
２１  トルク伝達板
２２  スプリング
２３  係合孔
２４  係合片
２５  テーパ面
３０  制御機構
３１  押圧部材
【図１】
2004203552.tif 000003
【図２】
2004203552.tif 000004
【図３】
2004203552.tif 000005
【図４】
2004203552.tif 000006
【図５】
2004203552.tif 000007
【図６】
2004203552.tif 000008
【図７】
2004203552.tif 000009